(57)【要約】【課題】機種設定を誤ることなくかつ簡単に行うことができ、さらにリペア時などにおいて特別な処置を行うことなく別機種からの転用を簡単に行うことができるものとする。【解決手段】工場での調整工程などの必要時に相手コネクタ２１が接続されて機種設定信号ＩＤ１を伝える第１コネクタ２２と、本体装置側の相手コネクタ２３が常時接続されて機種識別信号ＩＤ２・ＩＤ３を伝える第２コネクタ２４とを設け、ＣＰＵ７にて、第１コネクタの接続状態の場合に、第２コネクタによる機種識別信号に基づく機種情報をフラッシュメモリ３０に格納する機種設定処理を実行し、第１コネクタの非接続状態の場合に、第２コネクタによる機種識別信号に基づく機種情報とフラッシュメモリの機種情報とを照合して、その照合結果に基づいて当該電子部品装置の交換状態に応じた所定の機種設定処理を実行するものとする。【選択図】    図２
2004280648.tif 000002
【特許請求の範囲】
【請求項１】
組み付けられる本体装置の機種に応じて適合した動作を行う電子部品装置であって、
必要な時に所定の相手コネクタが接続されて機種設定信号を伝える第１コネクタと、前記本体装置側の相手コネクタが常時接続されて機種識別信号を伝える第２コネクタと、この第２コネクタの接続による機種識別信号に基づいて取得した機種情報を格納する記憶手段と、前記機種設定信号により前記第１コネクタが接続状態であると判定されると、前記第２コネクタの接続による機種識別信号に基づく機種情報を前記記憶手段に格納する機種設定処理を実行し、他方、前記第１コネクタが非接続状態であると判定されると、前記第２コネクタの接続による機種識別信号に基づく機種情報と前記記憶手段の機種情報とを照合して、その照合結果に基づいて当該電子部品装置の交換状態に応じた所定の機種設定処理を実行する制御手段とを具備することを特徴とする電子部品装置。
【請求項２】
前記制御手段は、前記第２コネクタの接続による機種識別信号に基づく機種情報と前記記憶手段の機種情報とが一致しない場合に、別機種からの転用品による交換状態と判定して所定の汎用機種の機種情報を前記記憶手段に格納する機種設定処理を実行することを特徴とする請求項１に記載の電子部品装置。
【請求項３】
前記制御手段は、前記第２コネクタの接続による機種識別信号が異常を示す場合に、機種設定処理を実行することなく当該電子部品装置を所定の汎用機種として動作させることを特徴とする請求項１に記載の電子部品装置。
【請求項４】
前記第２コネクタは、前記機種識別信号以外の信号を前記本体装置との間で授受するコネクタと兼用することを特徴とする請求項１に記載の電子部品装置。
【請求項５】
前記記憶手段は、前記本体装置側の動作を制御するための複数機種ごとの制御用プログラムを格納し、前記制御手段は、前記記憶手段に格納された機種情報に応じて対応する前記制御用プログラムを選択して実行することを特徴とする請求項１乃至請求項４のいずれかに記載の電子部品装置。
【請求項６】
組み付けられる本体装置の機種に応じて適合した動作を行う電子部品装置であって、
前記本体装置側から機種情報を取得する機種情報取得手段と、前記機種情報を格納する記憶手段と、この記憶手段に格納された機種情報と前記機種情報取得手段により取得した機種情報とを照合し、その照合結果に基づいて前記記憶手段への機種情報の書き込み及び書き換えの処理を実行する制御手段とを具備することを特徴とする電子部品装置。
【請求項７】
組み付けられる本体装置の機種に応じて適合した動作を行う電子部品装置を備えた印字装置であって、
前記電子部品装置は、必要な時に所定の相手コネクタが接続されて機種設定信号を伝える第１コネクタと、前記本体装置側の相手コネクタが常時接続されて機種識別信号を伝える第２コネクタと、この第２コネクタの接続による機種識別信号に基づいて取得した機種情報を格納する記憶手段と、前記機種設定信号により前記第１コネクタが接続状態であると判定されると、前記第２コネクタの接続による機種識別信号に基づく機種情報を前記記憶手段に格納する機種設定処理を実行し、他方、前記第１コネクタが非接続状態であると判定されると、前記第２コネクタの接続による機種識別信号に基づく機種情報と前記記憶手段の機種情報とを照合して、その照合結果に基づいて当該電子部品装置の交換状態に応じた所定の機種設定処理を実行する制御手段とを具備することを特徴とする印字装置。
【請求項８】
前記制御手段は、前記第２コネクタの接続による機種識別信号に基づく機種情報と前記記憶手段の機種情報とが一致しない場合に、別機種からの転用品による交換状態と判定して所定の汎用機種の機種情報を前記記憶手段に格納する機種設定処理を実行することを特徴とする請求項７に記載の印字装置。
【請求項９】
前記制御手段は、前記第２コネクタの接続による機種識別信号が異常を示す場合に、機種設定処理を実行することなく当該電子部品装置を所定の汎用機種として動作させることを特徴とする請求項７に記載の印字装置。
【請求項１０】
前記第２コネクタは、前記機種識別信号以外の信号を前記本体装置との間で授受するコネクタと兼用することを特徴とする請求項７に記載の印字装置。
【請求項１１】
前記記憶手段は、前記本体装置側の動作を制御するための複数機種ごとの制御用プログラムを格納し、前記制御手段は、前記記憶手段に格納された機種情報に応じて対応する前記制御用プログラムを選択して実行することを特徴とする請求項７乃至請求項１０のいずれかに記載の印字装置。
【請求項１２】
組み付けられる本体装置の機種に応じて適合した動作を行う電子部品装置を備えた印字装置であって、
前記電子部品装置は、前記本体装置側から機種情報を取得する機種情報取得手段と、前記機種情報を格納する記憶手段と、この記憶手段に格納された機種情報と前記機種情報取得手段により取得した機種情報とを照合し、その照合結果に基づいて前記記憶手段への機種情報の書き込み及び書き換えの処理を実行する制御手段とを具備することを特徴とする印字装置。
【請求項１３】
組み付けられる本体装置の機種に応じて適合した動作を行う電子部品装置を備えた複写機であって、
前記電子部品装置は、必要な時に所定の相手コネクタが接続されて機種設定信号を伝える第１コネクタと、前記本体装置側の相手コネクタが常時接続されて機種識別信号を伝える第２コネクタと、この第２コネクタの接続による機種識別信号に基づいて取得した機種情報を格納する記憶手段と、前記機種設定信号により前記第１コネクタが接続状態であると判定されると、前記第２コネクタの接続による機種識別信号に基づく機種情報を前記記憶手段に格納する機種設定処理を実行し、他方、前記第１コネクタが非接続状態であると判定されると、前記第２コネクタの接続による機種識別信号に基づく機種情報と前記記憶手段の機種情報とを照合して、その照合結果に基づいて当該電子部品装置の交換状態に応じた所定の機種設定処理を実行する制御手段とを具備することを特徴とする複写機。
【請求項１４】
前記制御手段は、前記第２コネクタの接続による機種識別信号に基づく機種情報と前記記憶手段の機種情報とが一致しない場合に、別機種からの転用品による交換状態と判定して所定の汎用機種の機種情報を前記記憶手段に格納する機種設定処理を実行することを特徴とする請求項１３に記載の複写機。
【請求項１５】
前記制御手段は、前記第２コネクタの接続による機種識別信号が異常を示す場合に、機種設定処理を実行することなく当該電子部品装置を所定の汎用機種として動作させることを特徴とする請求項１３に記載の複写機。
【請求項１６】
前記第２コネクタは、前記機種識別信号以外の信号を前記本体装置との間で授受するコネクタと兼用することを特徴とする請求項１３に記載の複写機。
【請求項１７】
前記記憶手段は、前記本体装置側の動作を制御するための複数機種ごとの制御用プログラムを格納し、前記制御手段は、前記記憶手段に格納された機種情報に応じて対応する前記制御用プログラムを選択して実行することを特徴とする請求項１３乃至請求項１６のいずれかに記載の複写機。
【請求項１８】
組み付けられる本体装置の機種に応じて適合した動作を行う電子部品装置を備えた複写機であって、
前記電子部品装置は、前記本体装置側から機種情報を取得する機種情報取得手段と、前記機種情報を格納する記憶手段と、この記憶手段に格納された機種情報と前記機種情報取得手段により取得した機種情報とを照合し、その照合結果に基づいて前記記憶手段への機種情報の書き込み及び書き換えの処理を実行する制御手段とを具備することを特徴とする複写機。
【発明の詳細な説明】
【０００１】
【発明の属する技術分野】
本発明は、組み付けられる本体装置の複数の機種に対応し、本体装置の機種に応じて適合した動作を行う電子部品装置並びにこれを備えた印字装置及び複写機に関するものである。
【０００２】
【従来の技術】
印字装置や複写機では、システム制御などを行う制御基板を複数の機種間で共用すると、製造コストを低減する上で効果的であり、この場合、制御基板に複数機種の動作プログラムを予め格納しておき、制御基板が装着される本体側の機種に応じた動作を行うように機種設定により適合する動作プログラムを選択して実行させることになる。
【０００３】
他方、電気制御装置において機種に適合した動作プログラムの選択をコネクタを利用して行う構成のものが知られており（特許文献１参照。）、ここでは、機種設定専用のコネクタを設けると共に、この機種設定専用のコネクタに接続される相手コネクタを機種ごとに用意しておき、装置と適合する相手コネクタを機種設定用コネクタに接続することで適切な動作プログラムが選択されるようになっている。
【０００４】
【特許文献１】
特開平１１−１９４８０５号公報（第１図、第３図）
【０００５】
【発明が解決しようとする課題】
ところが、このような相手コネクタの接続による機種設定では、装置を設置して使用を開始する際などにユーザやサービスマンが適宜に行うことができるようにすると、誤った機種の相手コネクタを接続することで誤動作や動作不能を招く不都合が生じる。また、工場での調整工程や出荷の際に機種設定を行うようにすると、その段階で対応機種が固定されてしまい、リペアセンタ等において別機種に転用することができなくなるという問題が発生する。
【０００６】
本発明は、このような従来技術の問題点を解消するべく案出されたものであり、その主な目的は、機種設定を誤ることなくかつ簡単な作業により行うことができ、さらにリペア時などにおいて特別な処置を行うことなく別機種からの転用を簡単に行うことができるように構成された電子部品装置並びにこれを備えた印字装置及び複写機を提供することにある。
【０００７】
【課題を解決するための手段】
このような目的を果たすために、本発明においては、請求項１、請求項７及び請求項１３に示すとおり、組み付けられる本体装置の機種に応じて適合した動作を行う電子部品装置において、必要な時に所定の相手コネクタが接続されて機種設定信号を伝える第１コネクタと、前記本体装置側の相手コネクタが常時接続されて機種識別信号を伝える第２コネクタと、この第２コネクタの接続による機種識別信号に基づいて取得した機種情報を格納する記憶手段と、前記機種設定信号により前記第１コネクタが接続状態であると判定されると、前記第２コネクタの接続による機種識別信号に基づく機種情報を前記記憶手段に格納する機種設定処理を実行し、他方、前記第１コネクタが非接続状態であると判定されると、前記第２コネクタの接続による機種識別信号に基づく機種情報と前記記憶手段の機種情報とを照合して、その照合結果に基づいて当該電子部品装置の交換状態に応じた所定の機種設定処理を実行する制御手段とを具備するものとした。
【０００８】
これによると、製造工程で第２のコネクタを本体装置と接続した上で工場での調整工程などの必要時に第１コネクタを接続状態とすることで、本体側から機種情報を取得するため、誤りなく機種設定を行うことができる。また、出荷後などの第１コネクタが非接続状態となる場合には、電子部品装置の交換状態に応じて適切な機種設定処理が実行されるため、別機種からの転用品による交換修理も可能になる。特に当該電子部品装置が交換されていない場合、すなわち記憶手段の機種情報と第２コネクタによる機種情報とが一致する場合には、書き換え処理を行わずに記憶手段の機種情報を維持するものとすれば、通常の使用の支障とならずに済む。
【０００９】
さらに請求項２、請求項８及び請求項１４に示すとおり、前記制御手段は、前記第２コネクタの接続による機種識別信号に基づく機種情報と前記記憶手段の機種情報とが一致しない場合に、別機種からの転用品による交換状態と判定して所定の汎用機種の機種情報を前記記憶手段に格納する機種設定処理を実行する構成をとることができる。これによると、リペアセンタなどにおいて別機種からの転用品による交換修理が可能となる。しかも汎用機種に設定されるため、本体装置側の誤動作や動作不能、故障などの不都合を避けることができる。この場合、汎用機種は、例えば上位機種と互換性のある下位機種とすれば良い。ここで交換状態とは、電子部品装置に搭載された機種情報を保持する記憶手段を構成するメモリ部品などが付け替えられた状態、並びに制御基板などの電子部品装置そのものが他の本体装置に付け替えられた状態をいう。また、転用品とは、別機種の機種情報が設定された機種設定済み品であり、この機種設定済み品には、他の本体装置に使用された再使用品の他、特定の機種用として予め機種設定が行われた未使用品の場合もある。
【００１０】
また、前記制御手段は、前記記憶手段に有効な機種情報がない場合に、機種未設定品による交換状態と判定して前記第２コネクタによる機種識別信号に基づいて取得した新規の機種情報を前記記憶手段に格納する機種設定処理を実行する構成をとることができる。これによると、未使用で機種設定が行われていないものに交換した場合に、第１コネクタの相手コネクタを使用するなど、特別な処置を行わずとも、本体側から取得する機種情報に基づいて誤りなく機種設定を行うことができる。
【００１１】
さらに請求項３、請求項９及び請求項１５に示すとおり、前記制御手段は、前記第２コネクタの接続による機種識別信号が異常を示す場合に、機種設定処理を実行することなく当該電子部品装置を所定の汎用機種として動作させる構成とすることができる。これによると、機種識別信号で機種を特定することができない場合でも応急的に装置が動作しない状態を回避することが可能になる。この場合、記憶手段の機種情報を書き換えないものとすると良い。
【００１２】
さらに請求項４、請求項１０及び請求項１６に示すとおり、前記第２コネクタは、当該電子部品装置の通常の動作に関する前記機種識別信号以外の信号を前記本体装置との間で授受するコネクタと兼用する構成とすることができる。これによると、本体装置側の相手コネクタに常時接続されて制御用信号などの電子部品装置の通常の動作に関する信号を授受するコネクタと兼用することで、機種識別信号専用のコネクタを別途設ける必要がないため、コネクタの部品数を削減し、製造工数を削減することができる。
【００１３】
さらに請求項５、請求項１１及び請求項１７に示すとおり、前記記憶手段は、前記本体装置側の動作を制御するための複数機種ごとの制御用プログラムを格納し、前記制御手段は、前記記憶手段に格納された機種情報に応じて対応する前記制御用プログラムを選択して実行する構成をとることができる。
【００１４】
また本発明においては、請求項６、請求項１２及び請求項１８に示すとおり、組み付けられる本体装置の機種に応じて適合した動作を行う電子部品装置において、前記本体装置側から機種情報を取得する機種情報取得手段と、前記機種情報を格納する記憶手段と、この記憶手段に格納された機種情報と前記機種情報取得手段により取得した機種情報とを照合し、その照合結果に基づいて前記記憶手段への機種情報の書き込み及び書き換えの処理を実行する制御手段とを具備するものとした。
【００１５】
これによると、本体装置側から機種情報を取得するため、誤りなく機種設定を行うことができる。特に、記憶手段に機種情報がない場合に記憶手段への機種情報の書き込みの処理を実行するものとすれば、未使用品に交換された場合に適切な機種設定を行うことができる。他方、記憶手段の機種情報と機種情報取得手段による機種情報とが一致する場合に、記憶手段への機種情報の書き込み及び書き換えの処理を行わないものとすれば、通常の使用の支障とならない。さらに、記憶手段の機種情報と機種情報取得手段による機種情報とが一致しない場合に、所定の互換機種への機種情報の書き換えの処理を実行するものとすれば別機種からの転用品による交換修理が可能になる。
【００１６】
この場合、記憶手段の機種情報と機種情報取得手段による機種情報との照合を行うことなく機種情報取得手段による機種情報に基づいて強制的に記憶手段への機種情報の書き込み及び書き換えの処理を制御手段に実行させる機種設定手段をさらに具備すると良く、これによると、工場調整時などにおいて手際良く機種設定を済ませることができる。
【００１７】
この構成における機種情報取得手段は、前記の本体側の相手コネクタに常時接続されて機種識別信号を伝える第２コネクタとすることができ、また機種設定手段は、前記の必要な時にのみ所定の相手コネクタに接続されて機種設定信号を伝える第１コネクタとすることができる。この他、機種設定手段は、接続を断続する各種のスイッチで構成することも可能である。
【００１８】
【発明の実施の形態】
以下に添付の図面を参照して本発明の実施の形態について詳細に説明する。
【００１９】
図１は、本発明による複写機の概略構成を示すブロック図である。この複写機は、原稿の画像を読み取る読取部１と、この読取部１の動作を制御する読取制御部２と、本装置の全体を制御すると共に読取部１で生成した読取画像データの処理を行うシステム制御・画像処理部３と、読取画像を記録紙に印字する記録部４と、この記録部４の動作を制御する記録制御部５と、これら各部の動作の設定にかかる入力操作並びに各種情報の表示を行う表示操作パネル６とを有している。
【００２０】
システム制御・画像処理部３は、ＣＰＵ７と画像処理制御部８とを有し、画像処理制御部８では、読取部１で生成した読取画像データが処理されて記録部４のＬＳＵ（レーザ・スキャニング・ユニット）９に送られる。記録制御部５では、ＣＰＵ１０と記録プロセス制御部１１とを有し、記録プロセス制御部１１では、記録部４の帯電装置１２、感光体ドラム１３、転写装置１４などの動作が制御される。
【００２１】
システム制御・画像処理部３は、ＣＰＵ７並びに画像処理制御部８をなす専用ＬＳＩなどの電子部品が実装された制御基板（電子部品装置）で構成されており、この制御基板は、読取部１や記録部４が設けられた本体側装置の複数の機種に適合し、製造時に機種が設定されてその機種に対応する制御プログラムを実行する。ここでは、印字速度が異なる１５枚機、１８枚機、並びに２０枚機の計３機種で制御基板が共用される。なお、これと同様にして読取制御部２や記録制御部５を構成する制御基板を、複数の機種で共用して機種に応じた動作を行わせるように構成することも可能である。
【００２２】
図２は、図１に示した複写機における機種設定にかかる要部の概略構成を示すブロック図である。図１に示したシステム制御・画像処理部３を構成する制御基板には、工場での調整工程でのみ所定の相手コネクタ２１が接続されて機種設定信号ＩＤ１を伝える第１コネクタ２２と、本体側の相手コネクタ２３が常時接続されて機種識別信号ＩＤ２・ＩＤ３を伝える第２コネクタ２４とが設けられている。第１コネクタ２２による機種設定信号ＩＤ１、並びに第２コネクタ２４による機種識別信号ＩＤ２・ＩＤ３は、入出力部２５を介してＣＰＵ７に入力される。第２コネクタ２４は、制御用信号を本体側基板２８との間で授受するコネクタを兼用している。
【００２３】
第１コネクタ２２の相手コネクタ２１は、端子間の結線などにより機種設定信号ＩＤ１を発生し、接続状態の場合はＩＤ１＝０、非接続状態の場合はＩＤ１＝１となる。
【００２４】
第２コネクタ２４の相手コネクタ２３は、ケーブル２６及び反対側コネクタ２７を介して本体側基板２８（例えば表示操作パネル基板）に設けられたコネクタ２９に接続され、このコネクタ２９は、端子のＶＣＣ接続並びにＧＮＤ接続により機種識別信号ＩＤ２・ＩＤ３を発生し、１５枚機の場合はＩＤ２，３＝１，１、１８枚機の場合はＩＤ２，３＝０，１、２０枚機の場合はＩＤ２，３＝１，０となる。これらのいずれにも該当しない場合、すなわちＩＤ２，３＝０，０の場合は、コネクタ２３の接続不良などの不具合あるいは本体側の仕様変更がある場合となる。
【００２５】
さらに制御基板３には、第２コネクタ２４による機種識別信号ＩＤ２・ＩＤ３に基づいて取得した機種情報を格納するフラッシュメモリ（記憶手段）３０が設けられており、機種識別信号ＩＤ２・ＩＤ３が入出力部２５を介してＣＰＵ７に入力されると、ここで１５枚機、１８枚機、２０枚機の別を示す機種情報データを生成してフラッシュメモリ３０に格納される。またこのフラッシュメモリ３０には、対応する複数機種の制御プログラムが格納されており、ＣＰＵ７は機種情報に対応する制御用プログラムを選択して実行する。
【００２６】
制御基板３のＣＰＵ（制御手段）７では、第１コネクタ２２による機種設定信号ＩＤ１に基づいて第１コネクタ２２が接続状態であると判定されると、第２コネクタ２４の接続による機種識別信号ＩＤ２・ＩＤ３に基づく機種情報をフラッシュメモリ３０に格納する機種設定処理を実行し、他方、第１コネクタ２２が非接続状態である場合に、第２コネクタ２４の接続により検出された機種識別信号ＩＤ２・ＩＤ３に基づく機種情報とフラッシュメモリ３０に格納された機種情報とを照合し、その照合結果に基づいて当該制御基板３の交換状態を判別してその交換状態に応じて所定の機種設定処理を実行するようになっている。
【００２７】
（実施の形態１）
図３は、図２に示した制御基板における交換状態に応じた機種設定処理の概要を示している。ここでは、第１コネクタ２２による機種設定信号ＩＤ１、第２コネクタ２４による機種識別信号ＩＤ２・ＩＤ３、及びフラッシュメモリ３０の機種情報と、これらの信号及び情報に基づいて決定される動作プログラム並びに制御基板３の状態を示している。
【００２８】
ケースＡ〜ＤのようにＩＤ１＝０で第１コネクタ２２が接続状態の場合は、工場調整時である。この場合、フラッシュメモリ（ＦＲＯＭ）３０に機種情報がなく、第２コネクタ２４による機種識別信号ＩＤ２・ＩＤ３に基づいて機種が特定され、これに対応する制御プログラムが実行される。なおここでは、ケースＡのように機種識別信号ＩＤ２，３＝０，０で異常を示す場合は、エラー終了して制御プログラムが実行されないものとしたが、最下位の汎用性のある１５枚機用の制御プログラムが実行されるものとしても良い。
【００２９】
ケースＥ〜ＴのようにＩＤ１＝０で第１コネクタ２２が非接続状態の場合は、出荷後である。この場合、第２コネクタ２４による機種識別信号ＩＤ２・ＩＤ３とフラッシュメモリ３０の機種情報との比較照合により、交換がなされていない通常の使用状態、機種未設定品による交換状態、並びに機種設定済み品による交換状態のいずれに該当するか判別することができる。
【００３０】
このうち、ケースＥ〜Ｈのようにフラッシュメモリ３０に機種情報が格納されていない場合は、機種未設定品による交換状態であり、第２コネクタ２４による機種識別信号ＩＤ２・ＩＤ３に基づいて取得した新規の機種情報がフラッシュメモリ３０に格納される。なお、ケースＥのように機種識別信号ＩＤ２，３＝０，０で異常を示す場合は、最下位の１５枚機用の制御プログラムが実行される。
【００３１】
また、フラッシュメモリ３０に機種情報があるケースＩ〜Ｔのうち、ケースＬ・Ｏ・Ｒのように第２コネクタ２４による機種識別信号ＩＤ２・ＩＤ３に基づく機種情報とフラッシュメモリ３０の機種情報とが一致する場合は、交換がなされていない通常の使用状態、あるいは同一機種の機種設定済み品による交換状態であり、フラッシュメモリ３０の機種情報の書き換えは行われず、フラッシュメモリ３０の機種情報に対応する制御プログラムが実行される。
【００３２】
他方、ケースＪ・Ｋ・Ｎ・Ｐ・Ｓ・Ｔのように第２コネクタ２４による機種識別信号ＩＤ２・ＩＤ３に基づく機種情報とフラッシュメモリ３０の機種情報とが一致しない場合は、別機種からの転用品による交換状態であり、ここではエラー終了して制御プログラムが実行されない。また、ケースＩ・Ｍ・Ｑのように機種識別信号ＩＤ２，３＝０，０となる異常の場合は、最下位の１５枚機用の制御プログラムが実行される。
【００３３】
図４及び図５は、図３に示した機種設定処理の手順を示すフロー図である。本複写機の電源が投入されると、まず図４のステップ１０１にて機種設定信号ＩＤ１＝０であるか否かが判定され、ＩＤ１＝０、すなわち第１コネクタ２２が接続状態であればステップ１０２に進んでフラッシュメモリ３０の機種情報をクリアする。
【００３４】
ついでステップ１０３にて機種識別信号ＩＤ２・ＩＤ３による機種判定処理が行われ、ステップ１０４、ステップ１０５、並びにステップ１０６にて機種識別信号ＩＤ２・ＩＤ３に対応する機種情報、すなわちＩＤ２，３＝１，１の場合に１５枚機、ＩＤ２，３＝０，１の場合に１８枚機、ＩＤ２，３＝１，０の場合に２０枚機となるように機種情報がフラッシュメモリ３０に格納される。また、機種識別信号ＩＤ２・ＩＤ３が異常値、すなわちＩＤ２，３＝０，０であれば第２コネクタ２４の系統での接続不良などの不具合と判定してエラー終了する。
【００３５】
他方、ステップ１０１にて機種設定信号ＩＤ１＝０でない、すなわちＩＤ１＝１で、第１コネクタ２２が非接続状態と判定されると、図５に示すステップ２０１以降の機種照合処理に進む。
【００３６】
図５の機種照合処理では、ステップ２０１〜ステップ２０９にてフラッシュメモリ３０の機種情報が１５枚機、１８枚機、並びに２０枚機の各々の場合について機種識別信号ＩＤ２・ＩＤ３が対応する所定の値を示す、すなわち機種識別信号ＩＤ２・ＩＤ３が１５枚機の場合にＩＤ２，３＝１，１、１８枚機の場合にＩＤ２，３＝０，１、２０枚機の場合にＩＤ２，３＝１，０となるか否かが判定され、フラッシュメモリ３０の機種情報と機種識別信号ＩＤ２・ＩＤ３による機種情報とが一致すればそれぞれ対応する動作プログラムが実行される。他方、フラッシュメモリ３０の機種情報と機種識別信号ＩＤ２・ＩＤ３による機種情報とが一致しない場合にはエラー終了する。
【００３７】
また、ステップ２０１、ステップ２０４、ステップ２０７を経てフラッシュメモリ３０の機種情報が１５枚機、１８枚機、並びに２０枚機のいずれにも該当しないものと判定されると、ステップ２１０に進んで機種識別信号ＩＤ２・ＩＤ３による機種判定処理が行われる。
【００３８】
このステップ２１０の機種判定処理では、機種識別信号ＩＤ２・ＩＤ３が異常値、すなわちＩＤ２，３＝０，０であれば、ステップ２１１にて最下位の互換性のある１５枚機用動作プログラムが実行される。このとき、コネクタの接続不良などの不具合が想定されるが、エラー終了とはしない。なおこの場合、フラッシュメモリ３０の機種情報はリセットされずに保持される。
【００３９】
他方、機種識別信号ＩＤ２・ＩＤ３が正常値を示す場合には、ステップ２１２〜ステップ２１７にて識別信号ＩＤ２・ＩＤ３に対応する機種情報、すなわちＩＤ２，３＝１，１の場合に１５枚機、ＩＤ２，３＝０，１の場合に１８枚機、ＩＤ２，３＝１，０の場合に２０枚機となるように機種情報がフラッシュメモリ３０に格納され、それぞれの機種情報に対応する動作プログラムが実行される。
【００４０】
（実施の形態２）
図６は、図２に示した制御基板における交換状態に応じた機種設定処理の概要の別の例を示している。ここでは、工場調整時であるケースＡ〜Ｄ、出荷後の機種未設定品による交換状態であるケースＥ〜Ｈ、並びに交換がなされていない通常の使用状態であるケースＬ・Ｏ・Ｒは、図３の例と同様である。
【００４１】
他方、別機種からの転用品による交換状態であるケースＪ・Ｋ・Ｎ・Ｐ・Ｓ・Ｔは、図３の例とは異なり、エラー終了せずに最下位の互換性のある１５枚機用動作プログラムが実行される。このため、別機種からの転用品による交換修理が可能となる。第２コネクタによる機種識別信号ＩＤ２，３＝０，０で異常を示すケースＩ・Ｍ・Ｑも、１５枚機用動作プログラムが実行される。
【００４２】
なお、未使用品のフラッシュメモリ３０の初期設定を最上位の２０枚機としても良い。このようにすると、ケースＡ〜Ｄの工場調整時、並びにケースＥ〜Ｈの出荷後の機種未設定品による交換状態において、フラッシュメモリ３０の機種情報が２０枚機となる。この場合、機種未設定品による交換状態の判別ができないが、ケースＱ〜Ｔのようにフラッシュメモリ３０の機種情報が２０枚機となる場合として問題なく処理することができる。
【００４３】
図７は、図６に示した機種設定処理の手順を示すフロー図である。このフローは、図４のステップ１０１での第１コネクタ２２の接続状態の判定処理に続くものである。ここでは、まずステップ３０１にてフラッシュメモリ３０の機種情報が１５枚機か否かが判定され、１５枚機であればステップ３０２に進んで１５枚機用動作プログラムが実行される。他方、フラッシュメモリ３０の機種情報が１５枚機でない場合にはステップ３０３に進んで１８枚機か否かが判定される。ここで１８枚機であればステップ３０４に進んでＩＤ２，３＝０，１か否かが判定され、ＩＤ２，３＝０，１であればステップ３０５に進んで１８枚機用動作プログラムが実行される。他方、ＩＤ２，３＝０，１でなければステップ３０２に進んで下位の１５枚機用動作プログラムが実行される。
【００４４】
また、ステップ３０１、ステップ３０３を経てフラッシュメモリ３０の機種情報が１５枚機及び１８枚機のいずれでもない、すなわち２０枚機あるいは有効な機種情報がないものと判定された場合には、ステップ３０６に進んでＩＤ２，３の判定処理が行われる。
【００４５】
このステップ３０６の機種判定処理では、機種識別信号ＩＤ２・ＩＤ３が異常値、すなわちＩＤ２，３＝０，０であれば、フラッシュメモリ３０の機種情報がリセットされずにステップ３０７にて最下位の互換性のある１５枚機用動作プログラムが実行される。
【００４６】
他方、ＩＤ２，３＝１，１、ＩＤ２，３＝０，１の各場合にはステップ３０８〜３１１にて、それぞれ適合する機種情報にフラッシュメモリ３０が書き換えられ、対応する所定の動作プログラムが実行される。またＩＤ２，３＝１，０となる場合にはフラッシュメモリ３０の機種情報はリセットされずに２０枚機用動作プログラムが実行される。これは、未使用品のフラッシュメモリ３０の初期設定を２０枚機としたことによる。
【００４７】
【発明の効果】
このように本発明によれば、製造工程で第２のコネクタを本体装置と接続した上で工場での調整工程などの必要時に第１コネクタを接続状態とすることで、本体側から機種情報を取得するため、機種設定を誤ることなくかつ簡単な作業により行うことができる。さらにリペア時などにおいては、第１コネクタの相手コネクタを用意しなくとも、別機種からの転用を簡単に行うことが可能になり、また不適合な機種設定により誤動作や動作不能を招く不都合を避けることができる。
【図面の簡単な説明】
【図１】本発明による複写機の概略構成を示すブロック図
【図２】図１に示した複写機における機種設定にかかる要部の概略構成を示すブロック図
【図３】図２に示した制御基板における交換状態に応じた機種設定処理の概要を示す図
【図４】図３に示した機種設定処理の手順を示すフロー図
【図５】図４につづく機種設定処理の手順を示すフロー図
【図６】図２に示した制御基板における交換状態に応じた機種設定処理の概要の別の例を示す図
【図７】図６に示した機種設定処理の手順を示すフロー図
【符号の説明】
３  システム制御・画像処理部（制御基板、電子部品装置）
７  ＣＰＵ（制御手段）
２１  相手コネクタ
２２  第１コネクタ
２３  相手コネクタ
２４  第２コネクタ
２８  本体側基板
３０  フラッシュメモリ（記憶手段）
ＩＤ１  機種設定信号
ＩＤ２・ＩＤ３  機種識別信号
【図１】
2004280648.tif 000003
【図２】
2004280648.tif 000004
【図３】
2004280648.tif 000005
【図４】
2004280648.tif 000006
【図５】
2004280648.tif 000007
【図６】
2004280648.tif 000008
【図７】
2004280648.tif 000009